(57)【要約】【課題】最近では、周囲へのマナー的配慮の点から、携帯電話機の通話が規制されていたり、自粛が求められていたりする。このような場合には、ユーザーが発声して応答することができないので従来の留守番機能を使用することになるが、留守番機能を使用すると、後で電話を掛け直しする手間が掛かる。【解決手段】受話音声経路２５と送話音声経路２７を有し、携帯電話機のイヤホンマイクコネクタ５と接続されるハンズフリー通話手段と、ユーザーにより操作される応答スイッチ１７と、応答スイッチの操作により、音声を合成し送話音声経路２７を利用して音声応答する音声応答手段２９と、応答スイッチの操作により、ユーザー発声応答と音声合成応答とを切替える応答モード切替え手段３１と、を備える。【選択図】        図１
2008072425.tif 000002
【特許請求の範囲】
【請求項１】
携帯電話機に接続され、前記携帯電話機のハンズフリー通話を制御する機能を持つ携帯電話機用通話制御装置において、
受話音声経路と送話音声経路を有し、携帯電話機のイヤホンマイクコネクタと接続されるハンズフリー通話手段と、
ユーザーにより操作される応答スイッチと、
前記応答スイッチの操作により、音声を合成し前記送話音声経路を利用して音声応答する音声応答手段と、
前記応答スイッチの操作により、ユーザー発声応答と音声合成応答とを切替える応答モード切替え手段と、
を備えることを特徴とする携帯電話機用通話制御装置。
【請求項２】
請求項１に記載した携帯電話機用通話制御装置において、さらに、応答スイッチの操作により着信応答が選択されると、着信応答信号としての擬似応答信号をハンズフリー通話手段の受話音声経路を利用して携帯電話機に送出する着信応答手段を備えることを特徴とする携帯電話機用通話制御装置。
【請求項３】
請求項１または２に記載した携帯電話機用通話制御装置において、さらに、接続された携帯電話機への着信をリンギングトーンとして検出するリンギングトーン検出手段を備えることを特徴とする携帯電話機用通話制御装置。
【発明の詳細な説明】
【技術分野】
【０００１】
本発明は、通常のハンズフリー通話だけでなく、合成音声の代理応答による通話も可能とする携帯電話機用通話制御装置に関するものである。
【背景技術】
【０００２】
携帯電話機には、通話できない場合に、発信者が携帯電話機にメッセージを残すことができる留守番機能が備えられている。
【０００３】
【特許文献１】特開平１０−２１０１３６号公報
【発明の開示】
【発明が解決しようとする課題】
【０００４】
最近では、周囲へのマナー的配慮の点から、電車／新幹線の車内、レストラン、ホテルのロビーなどでは携帯電話機の通話が規制されていたり、自粛が求められていたりする。
このような場合には、ユーザーが発声して応答することができないので従来の留守番機能を使用することになるが、留守番機能を使用すると、後で電話を掛け直しする手間が掛かる。
【０００５】
本発明は、上記課題を解決するために、ユーザーが発声しなくとも通話を可能とする携帯電話機用通話制御装置を提供することを目的とする。
【課題を解決するための手段】
【０００６】
請求項１の発明は、携帯電話機に接続され、前記携帯電話機のハンズフリー通話を制御する機能を持つ携帯電話機用通話制御装置において、受話音声経路と送話音声経路を有し、携帯電話機のイヤホンマイクコネクタと接続されるハンズフリー通話手段と、ユーザーにより操作される応答スイッチと、前記応答スイッチの操作により、音声を合成し前記送話音声経路を利用して音声応答する音声応答手段と、前記応答スイッチの操作により、ユーザー発声応答と音声合成応答とを切替える応答モード切替え手段と、を備えることを特徴とする携帯電話機用通話制御装置である。
【０００７】
請求項２の発明は、請求項１に記載した携帯電話機用通話制御装置において、さらに、応答スイッチの操作により着信応答が選択されると、着信応答信号としての擬似応答信号をハンズフリー通話手段の受話音声経路を利用して携帯電話機に送出する着信応答手段を備えることを特徴とする携帯電話機用通話制御装置である。
【０００８】
請求項３の発明は、請求項１または２に記載した携帯電話機用通話制御装置において、さらに、接続された携帯電話機への着信をリンギングトーンとして検出するリンギングトーン検出手段を備えることを特徴とする携帯電話機用通話制御装置である。
【発明の効果】
【０００９】
本発明の通話制御装置を携帯電話機に接続すれば、ユーザーの代わりに合成音声で発信者に応答するので、通話が規制されたり自粛が求められていたりする場所でも周囲の人に気づかれずに会話することができる。
【発明を実施するための最良の形態】
【００１０】
以下、本発明の実施の形態を図面に従って説明する。
図１は、発明の実施の形態に係る携帯電話機用通話制御装置１のブロック図である。この通話制御装置１は携帯電話機３に接続されて使用される。
符号７は本体を示し、この本体７のイヤホン・マイク用ジャック９が携帯電話機３のハンズフリー通話用イヤホンマイクコネクタ５に差し込まれて接続される。このジャック９は市販の携帯電話機に適合するよう設定されている。
符号１３は付属品を示し、この付属品１３ではイヤホン１５と、応答スイッチ１７と、マイク１９とが一体に構成されており、その接続端子２１が本体７のコネクタ１１に接続される。
【００１１】
以下に、本体７の構成を説明する。
符号２３はこの通話制御装置１の心臓部であるＣＰＵ（制御部）を示し、この通話制御装置１の全ての動作を制御している。
イヤホン・マイク用ジャック９は、携帯電話機３からの受話音声信号（アナログ信号）を受信する受信部としての機能と、送話音声信号（アナログ信号）を送信する送信部としての機能を担っており、コネクタ１１とイヤホン・マイク用ジャック９との間を受話音声経路（アナログ信号経路）２５と送話音声経路２７（アナログ信号経路）が連絡している。それぞれの経路２５，２７には増幅器２６，２８が設けられている。
イヤホン１５とマイク１９を含む付属品１３と、本体７の上記構成により通常のハンズフリー通話手段が構成されている。
【００１２】
符号２９は音声合成ＩＣ（マスクＲＯＭ内蔵）を示し、ＣＰＵ２３からの音声合成指令を受けて音声を合成し、増幅器３０を経て、受話音声経路２５と送話音声回路２７に送出する。音声合成ＩＣ２９のマスクＲＯＭには所定の音声メッセージデータが格納されており、音声合成指令を受けると、所定の音声合成プログラムに従って発信者やユーザーへの音声アナウンス用の発声（音声信号）を作成する。この音声合成ＩＣ２９と送話音声回路２７が接続されて、音声応答手段が構成されている。
【００１３】
符号３１は切替え（アナログ）スイッチを示し、この切替えスイッチ３１は送話音声経路２７とコネクタ１１との間に設けられている。切替えスイッチ３１はＣＰＵ２３からの音声ミュートの制御信号により動作して、コネクタ１１と送話音声経路２７とを接続する状態、即ちユーザーの発声を発信者が聞き取れる状態から、遮断（音声ミュート）状態、即ちユーザーの発声を発信者が聞き取れない状態に切替えるか、その逆に後者の状態から前者の状態に切替える。
遮断（音声ミュート）状態では、ユーザーの発声に代わって、ＣＰＵ２３の指令により音声合成ＩＣ２９が発声し、その音声を発信者とユーザーが聞き取れる状態になる。
上記構成により、応答モード切替え手段が構成されている。
【００１４】
符号３３は応答スイッチ１７の押下操作の検出部を示し、この検出部３３で検出されるとＣＰＵ２３に報告される。
符号３５はリンギングトーン検出回路を示す。このリンギングトーン検出回路３５は、携帯電話機３に着信があったときに受話音声信号として送出されてくるリンギングトーン（着信音）を検出（抽出）し、ＣＰＵ２３に報告する。即ち、携帯電話機３に着信があると、ＣＰＵ２３はリンギングトーン検出手段から携帯電話機３が着信中であることが報告される。上記構成により、リンギングトーン検出手段が構成されている。
【００１５】
符号３７は擬似応答スイッチを示す。ＣＰＵ２３は着信応答を選択する場合には、この擬似応答スイッチ３７から着信応答信号（ワンパルス出力）を携帯電話機３に送出する。上記構成により、着信応答手段が構成されている。
なお、擬似応答スイッチ３７は同様に終話信号を携帯電話機３に送出する。
通話制御装置１では、擬似応答スイッチ３７を設けることで、受話音声経路２５の兼用、即ちイヤホン出力と携帯電話機３への信号の送出を可能としている。
【００１６】
なお、携帯電話機３には、イヤホン・マイク用ジャック９の接続状態を判断し、接続されているとハンズフリー通話をＯＮとするハンズフリー通話設定手段が内蔵されており、ジャック９が携帯電話機３に接続されると、携帯電話機３は自動的にハンズフリー通話ＯＮ状態に設定する仕様のものである。
【００１７】
以下に、通話制御装置１の動作シーケンスを、図面に従って説明する。
先ず、通話制御装置１を携帯電話機３（電源ＯＮ）に接続して使用可能な状態に設置しておく。
図２に示すように、携帯電話機１に着信があると、着信音がイヤホン１５から出力される（ステップＳ１）。また、この着信音はリンギングトーン検出回路３５で検出されてＣＰＵ２３に報告される。
着信応答しない場合には、ユーザーは応答スイッチ１７を操作せず、そのまま放置する（ステップＳ２）。
【００１８】
ユーザーは、着信に応答する場合には、応答スイッチ１７を押下操作していずれかの通話モードを選択する（ステップＳ３）。
通話モードは、ユーザーの応答スイッチ１７の押下操作の種類に応じて、以下のように振りけられる。
【００１９】
（通常通話モードの場合）（図３）
ＣＰＵ２３はリンギングトーンの検出中に、即ち着信中に応答スイッチ１７がシングルクリックされると（ステップＳ１）、初めて通信処理を開始し、ユーザーが通常通話モードでの応答を選択したと判断し、着信応答信号を受話音声経路２５を利用して携帯電話機３に送出する（ステップＳ２）。携帯電話機３は、その信号を受け取ると、通話回線を確立して通話中となる（ステップＳ３）。
通話中は、マイク１９（コネクタ１１）と送話音声経路２７とが接続されており、ユーザーが発声して発信者と直接通話する。
応答スイッチ１７が４回クリックされると、ＣＰＵ２３は通話の終了と判断し（ステップＳ４）、終話信号を受話音声経路２５を利用して携帯電話機３に送出して通話回線を遮断して（ステップＳ５）、上記動作シーケンスを終了する。
【００２０】
（アンサリング通話モードの場合）（図４）
ＣＰＵ２３はリンギングトーンの検出中に、即ち着信中に応答スイッチ１７がダブルクリックされると（ステップＳ１）、初めて通信処理を開始し、ユーザーがアンサリング通話モードでの応答を選択したと判断し、音声ミュートの制御信号を切替えスイッチ３１に送り、マイク１９（コネクタ１１）と送話音声経路２７とを遮断（マイクミュート）する（ステップＳ２）。また、着信応答信号を受話音声経路２５を利用して携帯電話機３に送出する（ステップＳ３）。携帯電話機３は、その信号を受け取ると、通話回線を確立して通話中となる（ステップＳ４）。
【００２１】
通話中は、マイク１９（コネクタ１１）と送話音声経路２７とは遮断され、代わって音声合成ＩＣ２９を含む音声応答手段と送話音声経路２７とが接続されており、音声合成ＩＣ２９で作成された発声、即ち合成音声で発信者と通話する。なお、この合成音声は受話送信経路２７を利用してイヤホン出力されるので、ユーザーもその内容を聞き取ることができる。
先ず、発信者とユーザーに予め登録されたアンサリング開始用の音声メッセージ（例：「はいＸＸです。ただいまお話できません。聞いておりますのでそのままお話ください。」）が伝えられる（ステップＳ５）。
【００２２】
そして、発信者のメッセージ内容に応じて、途中の代理会話は以下のように行われる（ステップＳ７）。
即ち、応答スイッチ１７がクリックされると、ＣＰＵ２３は応答信号と判断し、クリック回数に応じて所定の音声メッセージを音声合成ＩＣ２９により音声合成する。この音声メッセージも上記したアンサリング開始用の音声メッセージと同様にして発信者とユーザーに伝えられる。
この実施の形態では、音声メッセージは、１回（シングル）クリックの場合には「はい」、２回（ダブル）クリックの場合には「いいえ」、３回クリックの場合には「後程、こちらから電話をいたします」である。
【００２３】
発信者が「はい」または「いいえ」の回答を求めているような場合にはそのような音声メッセージを発信者に伝えることで、ユーザーが発声しなくともリアルタイム応答でき、後から電話を掛け直したりする手間がない。
このように応答スイッチ１７の押下操作により周囲の人に気づかれずに会話をすることができる。即ち秘話を可能とする。
【００２４】
通話中に、応答スイッチ１７が長押し（２秒程度）されると、即ち通話モードの切替信号を受けると（ステップＳ８）、ＣＰＵ２３は音声ミュートを解除すると共にその旨の音声メッセージ（例：「通話に切替えます。」）を発信者とユーザーの両方に伝えて（ステップＳ９）、図３の通常通話モードに移行する。
【００２５】
通話中、応答スイッチ１７が４回クリックされると、ＣＰＵ２３は通話の終了と判断し（ステップＳ６）、通常通話モードの場合と同様に終話信号を携帯電話機３に送出して（ステップＳ１０）通話回線を遮断すると共に、マイクミュートを解除して（ステップＳ１１）、上記動作シーケンスを終了する。
【００２６】
この通話制御装置１では、アンサリング通話モードでは、合成音声をユーザーも聞き取ることができ、応答スイッチ１７の操作ミスがあっても容易に気づく。
また、非通話中は、ＣＰＵ２３はストップしており、消費電流を数１０μＡ程度に低減できる。
【００２７】
以上、本発明の実施の形態を説明したが、本発明の具体的構成が上記の実施の形態に限定されるものではなく、本発明の要旨から外れない範囲での設計変更があっても本発明に含まれる。
例えば、上記実施の形態では、コンパクトな構成とするため、通話制御装置は携帯電話機のイヤホンマイクコネクタ５とだけ接続されているが、携帯電話機の制御コネクタとも接続させてもよい。その場合には、携帯電話機とデータの送受信が可能となるので、電話番号をキーとした発信者のデータを取り込み、着信が有った場合には、その発信者の氏名を音声アナウンスする構成にすることもできる。
【産業上の利用可能性】
【００２８】
本発明の携帯電話機用通話制御装置を使用すれば、携帯電話機の通話が規制されたり自粛が求められている場所でも、周囲の人に気づかれずに通話が可能となり、後で掛け直したりする必要がなくなる。
【図面の簡単な説明】
【００２９】
【図１】本発明の実施の形態に係る制御装置の本体のブロック図である。
【図２】図１の携帯着信時の動作シーケンスである。
【図３】通常通話モードの場合の動作シーケンスである。
【図４】アンサリング通話モードの場合の動作シーケンスである。
【符号の説明】
【００３０】
１‥‥携帯電話機用通話制御装置
３‥‥携帯電話機                  ５‥‥イヤホンマイクコネクタ
７‥‥本体                        ９‥‥イヤホン・マイク用ジャック
１１‥‥コネクタ                  １３‥‥付属品
１５‥‥イヤホン                  １７‥‥応答スイッチ
１９‥‥マイク                    ２１‥‥接続端子
２３‥‥ＣＰＵ（制御部）          
２５‥‥受話音声経路              ２７‥‥送話音声経路
２９‥‥音声合成ＩＣ（マスクＲＯＭ内蔵）
３１‥‥切替えスイッチ
３３‥‥応答スイッチ検出部          ３５‥‥リンギングトーン検出回路
３７‥‥擬似応答スイッチ（本体内）
【図１】
2008072425.tif 000003
【図２】
2008072425.tif 000004
【図３】
2008072425.tif 000005
【図４】
2008072425.tif 000006